【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
マルチキャストパケットを配信する送信装置と、前記配信されるマルチキャストパケットの転送要求パケットを送信し、前記配信されるマルチキャストパケットを受信する受信装置と、に接続されるネットワークシステムであって、
前記ネットワークシステムは、
前記マルチキャストパケット及び前記転送要求パケットを転送する中継装置と、
前記転送要求パケットを受信し、前記配信されるマルチキャストパケットを転送するネットワーク装置と、を備え、
前記中継装置は、
第１インタフェース及び第２インタフェースを含む少なくとも二つのインタフェースと、
前記第１インタフェースを介してマルチキャストパケットの転送要求パケットを受信し、前記第２インタフェースを介して前記転送要求パケットを送信する送受信部と、を備え、
前記送受信部は、ユニキャスト通信を必要とする前記受信装置に前記マルチキャストパケットを送信する場合に、前記転送要求パケットの送信元ユニキャストＭＡＣアドレスを前記マルチキャストパケットの宛先ＭＡＣアドレスに設定するように要求する変換要求を、前記転送要求パケットと共に送信し、
前記ネットワーク装置は、
前記マルチキャストパケットを受信する受信部と、
前記受信したマルチキャストパケットを転送するときに用いられるユニキャストＭＡＣアドレス及びマルチキャストＭＡＣアドレスを保持する保持部と、
前記マルチキャストパケットの宛先ＭＡＣアドレスに、前記保持されているユニキャストＭＡＣアドレス及びマルチキャストＭＡＣアドレスのいずれか一つを設定し、前記宛先ＭＡＣアドレスが設定されたマルチキャストパケットを転送する転送部と、を備えることを特徴とするネットワークシステム。
【請求項２】
前記受信部は、前記中継装置から前記転送要求パケットを受信し、
前記保持部は、
前記受信した転送要求パケットの送信元ユニキャストＭＡＣアドレスを前記マルチキャストパケットの宛先ＭＡＣアドレスに設定するように要求された場合、前記受信した転送要求パケットの送信元ユニキャストＭＡＣアドレスを登録し、
前記受信した転送要求パケットの送信元ユニキャストＭＡＣアドレスを前記マルチキャストパケットの宛先ＭＡＣアドレスに設定するように要求されていない場合、前記マルチキャストパケットの宛先ＩＰアドレスに対応するマルチキャストＭＡＣアドレスを登録することを特徴とする請求項１に記載のネットワークシステム。
【請求項３】
前記送受信部は、前記転送要求パケットを転送するときに、前記マルチキャストパケットの転送要求パケットの宛先ＭＡＣアドレスに転送先のネットワーク装置のユニキャストＭＡＣアドレスを設定し、
前記保持部は、前記受信した転送要求パケットの宛先ＭＡＣアドレスが当該ネットワーク装置のユニキャストＭＡＣアドレスである場合、前記受信した転送要求パケットの送信元ユニキャストＭＡＣアドレスを登録することを特徴とする請求項２に記載のネットワークシステム。
【請求項４】
前記送受信部は、前記転送要求パケットを転送するときに、前記転送要求パケットの送信元ＩＰアドレスに当該中継装置のユニキャストＩＰアドレスを設定し、
前記保持部は、
前記中継装置のユニキャストＩＰアドレスをさらに保持し、
前記受信した転送要求パケットの送信元ＩＰアドレスが前記保持された中継装置のユニキャストＩＰアドレスである場合、前記受信した転送要求パケットの送信元ユニキャストＭＡＣアドレスを登録することを特徴とする請求項２に記載のネットワークシステム。
【請求項５】
前記保持部は、
前記受信装置のユニキャストＩＰアドレスをさらに保持し、
前記受信した転送要求パケットの送信元ＩＰアドレスが前記保持された受信装置のユニキャストＩＰアドレスである場合、前記受信した転送要求パケットの送信元ユニキャストＭＡＣアドレスを登録することを特徴とする請求項２に記載のネットワークシステム。
【請求項６】
前記保持部は、
前記受信装置のユニキャストＭＡＣアドレスをさらに保持し、
前記受信した転送要求パケットの送信元ＭＡＣアドレスが前記保持された受信装置のユニキャストＭＡＣアドレスである場合、前記受信した転送要求パケットの送信元ユニキャストＭＡＣアドレスを登録することを特徴とする請求項２に記載のネットワークシステム。
【請求項７】
前記ネットワーク装置は、マルチキャストパケットを含むＰＯＮフレームを受信するＰＯＮインタフェースをさらに備え、
前記転送部は、前記ＰＯＮインタフェースに含まれるマルチキャストパケットの宛先ＭＡＣアドレスに前記保持されているユニキャストＭＡＣアドレス及びマルチキャストＭＡＣアドレスを設定し、前記ＭＡＣアドレスが設定されたマルチキャストパケットを転送することを特徴とする請求項１に記載のネットワークシステム。
【請求項８】
マルチキャストパケット及びマルチキャストパケットの転送要求パケットを転送する中継装置であって、
第１インタフェース及び第２インタフェースを含む少なくとも二つのインタフェースを備え、
前記第１インタフェースを介してマルチキャストパケットの転送要求パケットを受信し、第２インタフェースを介して前記転送要求パケットを送信する送受信部を備え、
前記送受信部は、ユニキャスト通信を必要とする前記受信装置に前記マルチキャストパケットを送信する場合に、前記転送要求パケットの送信元ユニキャストＭＡＣアドレスを前記マルチキャストパケットの宛先ＭＡＣアドレスに設定するように要求する変換要求パケットを、前記転送要求パケットと共に送信することを特徴とする中継装置。
【請求項９】
前記送受信部は、前記転送要求パケットを転送するときに、前記転送要求パケットの宛先ＭＡＣアドレスに転送先のネットワーク装置のユニキャストＭＡＣアドレスを設定することを特徴とする請求項８に記載の中継装置。
【請求項１０】
前記送受信部は、前記転送要求パケットを転送するときに、前記転送要求パケットの送信元ＩＰアドレスに当該中継装置のユニキャストＩＰアドレスを設定することを特徴とする請求項８に記載の中継装置。
【請求項１１】
前記第１インタフェースは、無線通信インタフェースであることを特徴とする請求項８に記載の中継装置。
【手続補正２】
【補正対象書類名】明細書
【補正対象項目名】００１２
【補正方法】変更
【補正の内容】
【００１２】
本発明の代表的な一例を示せば以下の通りである。すなわち、マルチキャストパケットを配信する送信装置と、前記配信されるマルチキャストパケットの転送要求パケットを送信し、前記配信されるマルチキャストパケットを受信する受信装置と、に接続されるネットワークシステムであって、前記ネットワークシステムは、前記マルチキャストパケット及び前記転送要求パケットを転送する中継装置と、前記転送要求パケットを受信し、前記配信されるマルチキャストパケットを転送するネットワーク装置と、を備え、前記中継装置は、第１インタフェース及び第２インタフェースを含む少なくとも二つのインタフェースと、前記第１インタフェースを介してマルチキャストパケットの転送要求パケットを受信し、前記第２インタフェースを介して前記転送要求パケットを送信する送受信部と、を備え、前記送受信部は、ユニキャスト通信を必要とする前記受信装置に前記マルチキャストパケットを送信する場合に、前記転送要求パケットの送信元ユニキャストＭＡＣアドレスを前記マルチキャストパケットの宛先ＭＡＣアドレスに設定するように要求する変換要求を、前記転送要求パケットと共に送信し、前記ネットワーク装置は、前記マルチキャストパケットを受信する受信部と、前記受信したマルチキャストパケットを転送するときに用いられるユニキャストＭＡＣアドレス及びマルチキャストＭＡＣアドレスを保持する保持部と、前記マルチキャストパケットの宛先ＭＡＣアドレスに、前記保持されているユニキャストＭＡＣアドレス及びマルチキャストＭＡＣアドレスのいずれか一つを設定し、前記宛先ＭＡＣアドレスが設定されたマルチキャストパケットを転送する転送部と、を備える。